(57)【特許請求の範囲】
【請求項１】
代理人に依頼する委任者が利用する委任者端末と、
前記代理人が利用する代理人端末と、
前記委任者端末からの要求に基づいて委任者一時ＩＤを発行すると共に、前記代理人端末からの要求に基づいて代理人一時ＩＤを発行する仲介サーバとを備え、
前記委任者一時ＩＤ及び前記代理人一時ＩＤは、前記委任者と前記代理人との代理人契約締結時に消去される期限付きＩＤであり、
前記委任者一時ＩＤ及び前記代理人一時ＩＤは、代理人契約の相手方についての匿名性を有する情報とのみ紐付けられて利用者に表示されることを特徴とする代理申請認可システム。
【請求項２】
前記仲介サーバは、前記委任者一時ＩＤ及び前記代理人一時ＩＤを、代理人関係番号に紐付けて保存する為の一時ＩＤ管理ＤＢを備える、請求項１に記載の代理申請認可システム。
【請求項３】
前記仲介サーバは、前記委任者端末又は前記代理人端末からの検索要求に基づいて、前記委任者一時ＩＤ又は前記代理人一時ＩＤが、前記一時ＩＤ管理ＤＢで管理されている正規の一時ＩＤであるか否かを判定する、請求項２に記載の代理申請認可システム。
【請求項４】
前記仲介サーバは、利用者管理ＤＢを更に備え、前記委任者端末からの承認要求に基づいて、代理人関係番号を前記利用者管理ＤＢに保存すると共に、前記一時ＩＤ管理ＤＢから前記委任者一時ＩＤ及び前記代理人一時ＩＤの消去を行う、請求項１乃至３のいずれか一項に記載の代理申請認可システム。
【請求項５】
代理人契約締結後に、代理人契約の相手方についての匿名性を有さない情報が利用者に表示される、請求項４に記載の代理申請認可システム。
【請求項６】
代理人に依頼する委任者が利用する委任者端末からの要求に基づいて委任者一時ＩＤを発行する委任者一時ＩＤ発行手段と、
前記代理人が利用する代理人端末からの要求に基づいて代理人一時ＩＤを発行する代理人一時ＩＤ発行手段と
を備え、
前記委任者一時ＩＤ及び前記代理人一時ＩＤは、前記委任者と前記代理人との代理人契約締結時に消去される期限付きＩＤであり、
前記委任者一時ＩＤ及び前記代理人一時ＩＤは、代理人契約の相手方についての匿名性を有する情報とのみ紐付けられて利用者に表示されることを特徴とする仲介サーバ。
【請求項７】
代理人に依頼する委任者が利用する委任者端末からの要求に基づいて、仲介サーバが委任者一時ＩＤを発行するステップと、
前記代理人が利用する代理人端末からの要求に基づいて、仲介サーバが代理人一時ＩＤを発行するステップと、
仲介サーバが、前記委任者一時ＩＤ及び前記代理人一時ＩＤを、前記委任者と前記代理人との代理人契約締結時に消去するステップと
を含み、
前記委任者一時ＩＤ及び前記代理人一時ＩＤは、代理人契約の相手方についての匿名性を有する情報とのみ紐付けられて利用者に表示される、代理申請認可方法。
【発明の詳細な説明】
【技術分野】
【０００１】
この発明は、代理申請認可システム、仲介サーバ、及び代理申請認可方法に関する。
【背景技術】
【０００２】
代理制度は、本人に代わって別の人間（代理人）が意思表示を行うことにより法律行為（契約等）を行い、その効果が本人に帰属する制度である。この代理制度の申請及び代理手続き（イベントの電子的遂行）を、通信ネットワークに接続されるサーバにアクセスして代理人認可チケットを発行することにより行うものが、代理申請認可システムである。
【０００３】
この代理申請認可システムでは、依頼人と代理人とが代理契約を結ぶ際のなりすましを防ぐ方法として、信頼されたＩＤ（identification）を用いる方法、ＪＰＫＩ（Japan Public Key Infrastructure）（公的個人認証サービス）等の証明書を使って相互の本人確認を行う方法等が提案されている（非特許文献１）。
【先行技術文献】
【非特許文献】
【０００４】
【非特許文献１】“公的個人認証サービス・利用者ガイド”、［online］、平成２６年４月、公的個人認証サービス共通基盤事業運用会議、［平成２６年９月１８日検索］、インターネット＜URL： http://www.jpki.go.jp/jpkiguide/rules_pdf/jpki_sgd_usersguides.pdf＞
【発明の概要】
【発明が解決しようとする課題】
【０００５】
しかしながら、これらの従来の方法では、代理契約が交渉の末に不成立となるような場合であっても、交渉過程でＩＤ又は証明書の情報が相手の目に触れることになり、セキュリティが担保されないという問題があった。
【０００６】
したがって、かかる点に鑑みてなされた本発明の目的は、第三者に対して不必要な情報を開示することなく、代理契約を結ぶことが可能となる代理申請認可システム、仲介サーバ、及び代理申請認可方法を提供することにある。
【課題を解決するための手段】
【０００７】
上記課題を解決するため、本発明に係る代理申請認可システムは、
代理人に依頼する委任者が利用する委任者端末と、
前記代理人が利用する代理人端末と、
前記委任者端末からの要求に基づいて委任者一時ＩＤを発行すると共に、前記代理人端末からの要求に基づいて代理人一時ＩＤを発行する仲介サーバとを備え、
前記委任者一時ＩＤ及び前記代理人一時ＩＤは、前記委任者と前記代理人との代理人契約締結時に消去される期限付きＩＤであり、
前記委任者一時ＩＤ及び前記代理人一時ＩＤは、代理人契約の相手方についての匿名性を有する情報とのみ紐付けられて利用者に表示されることを特徴とする。
【０００８】
また、上記課題を解決するため、本発明に係る仲介サーバは、
代理人に依頼する委任者が利用する委任者端末からの要求に基づいて委任者一時ＩＤを発行する委任者一時ＩＤ発行手段と、
前記代理人が利用する代理人端末からの要求に基づいて代理人一時ＩＤを発行する代理人一時ＩＤ発行手段と
を備え、
前記委任者一時ＩＤ及び前記代理人一時ＩＤは、前記委任者と前記代理人との代理人契約締結時に消去される期限付きＩＤであり、
前記委任者一時ＩＤ及び前記代理人一時ＩＤは、代理人契約の相手方についての匿名性を有する情報とのみ紐付けられて利用者に表示されることを特徴とする。
【０００９】
また、上記課題を解決するため、本発明に係る代理申請認可方法は、
代理人に依頼する委任者が利用する委任者端末からの要求に基づいて、仲介サーバが委任者一時ＩＤを発行するステップと、
前記代理人が利用する代理人端末からの要求に基づいて、仲介サーバが代理人一時ＩＤを発行するステップと、
仲介サーバが、前記委任者一時ＩＤ及び前記代理人一時ＩＤを、前記委任者と前記代理人との代理人契約締結時に消去するステップと
を含み、
前記委任者一時ＩＤ及び前記代理人一時ＩＤは、代理人契約の相手方についての匿名性を有する情報とのみ紐付けられて利用者に表示されることを特徴とする。
【発明の効果】
【００１０】
本発明によれば、第三者に対して不必要な情報を開示することなく、代理契約を結ぶことが可能となる代理申請認可システム、仲介サーバ、及び代理申請認可方法を提供することができる。
【図面の簡単な説明】
【００１１】
【図１】本発明の一実施形態に係る代理申請認可システムの概略構成を示す図である。
【図２】本発明の一実施形態に係る委任者端末の概略構成を示す図である。
【図３】本発明の一実施形態に係る代理人端末の概略構成を示す図である。
【図４】本発明の一実施形態に係る仲介サーバの概略構成を示す図である。
【図５】仲介サーバの一時ＩＤ管理ＤＢに登録される情報の一例を示す図である。
【図６】仲介サーバの利用者管理ＤＢに登録される情報の一例を示す図である。
【図７】本発明の一実施形態に係る代理申請認可システムの処理シーケンスを示す図である。
【発明を実施するための形態】
【００１２】
以下、本発明に係る実施形態について、図面を参照して説明する。
【００１３】
図１は、本発明の一実施形態に係る代理申請認可システムの概略構成を示す図である。本発明の一実施形態に係る代理申請認可システムは、申請手続きを代理人に委任する委任者が利用する委任者端末１０と、委任者の代理人が利用する代理人端末３０と、委任者及び代理人に対して一時ＩＤを発行し管理を行う仲介サーバ５０とを備える。各端末（１０，３０）及び仲介サーバ５０は、ネットワーク７０を経由して接続されている。なお、仲介サーバ５０は、複数のサーバであってもよく、少なくとも１つ以上の仲介サーバ５０がネットワーク７０に接続されている。
【００１４】
図２は、本発明の一実施形態に係る委任者端末１０の概略構成を示す図である。委任者端末１０は、委任者が代理人との関係を構築する端末であり、委任者一時ＩＤ発行要求手段１１と、委任者一時ＩＤ受信手段１２と、委任者一時ＩＤ送信手段１３と、代理人一時ＩＤ受信手段１４と、代理人一時ＩＤ検索要求手段１５と、代理人一時ＩＤ情報表示手段１６と、代理人承認要求手段１７と、通信手段１８とを備える。
【００１５】
委任者一時ＩＤ発行要求手段１１は、委任者端末１０における委任者の操作に基づいて、通信手段１８及びネットワーク７０を経由して、仲介サーバ５０に対して限定的な本人情報と紐付けされた時限ＩＤである一時ＩＤの発行を要求する。
【００１６】
委任者一時ＩＤ受信手段１２は、委任者端末１０から送信された委任者一時ＩＤ発行要求に基づいて仲介サーバ５０が発行した委任者一時ＩＤを、再びネットワーク７０及び通信手段１８を経由して受信する。
【００１７】
委任者一時ＩＤ送信手段１３は、委任者一時ＩＤ受信手段１２により受信した委任者一時ＩＤを、委任者端末１０における委任者の操作に基づいて、委任したい代理人の代理人端末３０宛てに送信する。委任者は、あらかじめ仲介サーバ５０から、候補となる代理人に関する項目を限定して開示された情報を取得し、その開示情報に基づいて仮の代理人の選定を行う。仮の代理人の選定は、複数の代理人を選定しても良い。その時に閲覧可能な代理人情報は、例えば、代理人の資格のみに限定することができる。委任者は、仮に選定した代理人に対して、委任者一時ＩＤ送信手段１３を通じて自らの委任者一時ＩＤを送信する。
【００１８】
代理人一時ＩＤ受信手段１４は、仲介サーバ５０から取得し代理人端末３０から送信された、代理人一時ＩＤを受信する。
【００１９】
代理人一時ＩＤ検索要求手段１５は、受信した代理人一時ＩＤを用いて代理人情報を検索するために仲介サーバ５０に対して検索要求を送信する。
【００２０】
代理人一時ＩＤ情報表示手段１６は、代理人一時ＩＤ検索要求手段１５により送信された検索要求に対して、仲介サーバ５０からの代理人一時ＩＤに紐付けられた代理人情報を受信して表示を行う。この時委任者が、取得した代理人一時ＩＤを用いて、代理人資格に加えて匿名性を有する別の代理人情報を閲覧可能なように構成してもよい。
【００２１】
代理人承認要求手段１７は、委任者が、表示された代理人情報を確認し、代理人として適していると判断した場合に、委任者の操作に基づいて仲介サーバ５０に対して代理人の承認を要求する。
【００２２】
通信手段１８は、ネットワーク７０を介して各種データの送受信を行う。代理人端末３０及び仲介サーバ５０が備える通信手段３７及び６２についても同様である。
【００２３】
なお、本実施形態における通信手段１８，３７，６２には、有線ＬＡＮ、無線ＬＡＮ等に対応したネットワークインタフェースを用いることができる。
【００２４】
図３は、本発明の一実施形態に係る代理人端末３０の概略構成を示す図である。代理人端末３０は、代理人が委任者との関係を構築する端末である。代理人端末３０は、委任者一時ＩＤ受信手段３１と、委任者一時ＩＤ検索要求手段３２と、委任者一時ＩＤ情報表示手段３３と、代理人一時ＩＤ発行要求手段３４と、代理人一時ＩＤ受信手段３５と、代理人一時ＩＤ送信手段３６と、通信手段３７とを備える。
【００２５】
委任者一時ＩＤ受信手段３１は、仲介サーバ５０から取得し委任者端末１０から送信された、委任者一時ＩＤを受信する。
【００２６】
委任者一時ＩＤ検索要求手段３２は、受信した委任者一時ＩＤを用いて委任者情報を検索するために、仲介サーバ５０に対して検索要求を送信する。
【００２７】
委任者一時ＩＤ情報表示手段３３は、委任者一時ＩＤ検索要求手段３２により送信された検索要求に対して、仲介サーバ５０からの委任者一時ＩＤに紐付けられた限定された委任者情報を受信して表示を行う。この時、代理人は、取得した委任者一時ＩＤを用いて、例えば委任者の業務のみを確認することができる。
【００２８】
代理人一時ＩＤ発行要求手段３４は、代理人端末３０における代理人の操作に基づいて、通信手段１８及びネットワーク７０を経由して、仲介サーバ５０に対して限定的な本人情報と紐付けされた時限ＩＤである一時ＩＤの発行を要求する。
【００２９】
代理人一時ＩＤ受信手段３５は、代理人一時ＩＤ発行要求に基づいて仲介サーバ５０が発行した代理人一時ＩＤを、ネットワーク７０及び通信手段１８を経由して受信する。
【００３０】
代理人一時ＩＤ送信手段３６は、代理人一時ＩＤ受信手段３５により受信した代理人一時ＩＤを、当該代理人に対して委任を希望する委任者の委任者端末１０宛てに送信する。
【００３１】
図４は、本発明の一実施形態に係る仲介サーバ５０の概略構成を示す図である。仲介サーバ５０は、委任者と代理人の一時ＩＤを発行し、委任者と代理人との関係を管理するサーバである。仲介サーバ５０は、委任者一時ＩＤ発行手段５１と、委任者一時ＩＤ送信手段５２と、委任者一時ＩＤ検索手段５３と、委任者一時ＩＤ情報送信手段５４と、代理人一時ＩＤ発行手段５５と、代理人一時ＩＤ送信手段５６と、代理人一時ＩＤ検索手段５７と、代理人一時ＩＤ情報送信手段５８と、代理人承認手段５９と、一時ＩＤ管理ＤＢ（データベース）６０と、利用者管理ＤＢ６１と、通信手段６２とを備える。
【００３２】
委任者一時ＩＤ発行手段５１は、委任者端末１０の委任者一時ＩＤ発行要求手段１１からの委任者一時ＩＤ発行要求を受信する。そして、委任者一時ＩＤ発行手段５１は、委任者一時ＩＤを発行し、利用者管理ＤＢ６１内に記憶されている委任者のＩＤ情報と共に、一時ＩＤ管理ＤＢ６０に保存する。
【００３３】
委任者一時ＩＤ送信手段５２は、委任者一時ＩＤ発行手段５１が発行した委任者一時ＩＤを、委任者端末１０の委任者一時ＩＤ受信手段１２に送信する。
【００３４】
委任者一時ＩＤ検索手段５３は、代理人端末３０の委任者一時ＩＤ検索要求手段３２からの委任者一時ＩＤ検索要求を受信する。そして、委任者一時ＩＤ検索手段５３は、一時ＩＤ管理ＤＢ６０に保存されている委任者一時ＩＤ情報を検索する。
【００３５】
委任者一時ＩＤ情報送信手段５４は、委任者一時ＩＤ検索手段５３が検索した委任者一時ＩＤ情報を、代理人端末３０の委任者一時ＩＤ情報表示手段３３に送信する。
【００３６】
代理人一時ＩＤ発行手段５５は、代理人端末３０の代理人一時ＩＤ発行要求手段３４からの代理人一時ＩＤ発行要求を受信する。そして、代理人一時ＩＤ発行手段５５は、代理人一時ＩＤを発行し、利用者管理ＤＢ６１内に記憶されている代理人のＩＤ情報と共に、一時ＩＤ管理ＤＢ６０に保存する。
【００３７】
代理人一時ＩＤ送信手段５６は、代理人一時ＩＤ発行手段５５が発行した代理人一時ＩＤを代理人端末３０の代理人一時ＩＤ受信手段３５に送信する。
【００３８】
代理人一時ＩＤ検索手段５７は、委任者端末１０の代理人一時ＩＤ検索要求手段１５からの代理人一時ＩＤ検索要求を受信し、一時ＩＤ管理ＤＢ６０に保存されている代理人一時ＩＤ情報を検索する。
【００３９】
代理人一時ＩＤ情報送信手段５８は、代理人一時ＩＤ検索手段５７が検索した代理人一時ＩＤ情報を、委任者端末１０の代理人一時ＩＤ情報表示手段１６に送信する。
【００４０】
代理人承認手段５９は、委任者端末１０の代理人承認要求手段１７からの代理人承認要求を受信する。次に代理人承認手段５９は、一時ＩＤ管理ＤＢ６０に保存されている代理人関係番号を利用者管理ＤＢ６１に保存し、委任者であることを示す委任者ＦＬＧを利用者管理ＤＢ６１に保存し、該当する一時ＩＤ管理ＤＢ６０内のレコードを消去する。
【００４１】
一時ＩＤ管理ＤＢ６０は、例えば図５に示すような、関係を構築中の委任者と代理人の情報が保存される。一時ＩＤ管理ＤＢ６０は、委任者及び代理人の利用者ＩＤ、利用者氏名、代理人関係番号、委任者一時ＩＤ、代理人一時ＩＤ、委任者業務、代理人資格をデータベースに格納している。図５（ａ）は、佐藤太郎が佐藤次郎に代理人を依頼する場合の例を示している。代理人承認前の委任者及び代理人には、それぞれ利用者ＩＤ以外に、委任者一時ＩＤ及び代理人一時ＩＤが付与され、一時ＩＤ管理ＤＢ６０内で管理されている。また、仮の委任者と代理人の関係にある佐藤太郎と佐藤次郎には、共通の代理人関係番号が付与されている。この一時ＩＤ管理ＤＢ６０には、委任者と代理人が互いを認識し承認するために必要な最低限の情報である、委任者業務、及び代理人資格についての情報が保存される。これらの情報は、委任者一時ＩＤ検索要求、及び代理人一時ＩＤ検索要求に基づいて適宜送信される。
【００４２】
図５（ｂ）は、図５（ａ）で代理人であった佐藤次郎が委任者、佐藤三郎が代理人である場合の一時ＩＤ管理ＤＢ６０内の情報の一例である。図５（ａ）では代理人であった佐藤次郎には、佐藤三郎との関係では別の委任者一時ＩＤ及び代理人関係番号が付与されている。
【００４３】
利用者管理ＤＢ６１は、図６に示すように、利用者ＩＤ、パスワード、利用者氏名、委任者と代理人の組み合わせごとに付与される代理人関係番号、委任者であることを識別する委任者ＦＬＧを保存する。また、利用者管理ＤＢ６１には、委任者業務、代理人資格の他に、利用者連絡先等の個人情報が保存されており、委任者と代理人が正式な代理契約を締結した後に、これらの情報を互いに交換するのに利用される。
【００４４】
以降、各構成要素の動作を処理シーケンスとともに説明する。
【００４５】
図７は、本発明の一実施形態に係る代理申請認可システムの処理シーケンスを示す図である。
【００４６】
利用者である委任者は、まず自らの委任者一時ＩＤを取得するために、委任者端末１０の委任者一時ＩＤ発行要求手段１１から委任者一時ＩＤ発行要求を仲介サーバ５０宛てに送信する（ステップＳ１０１）。仲介サーバ５０の委任者一時ＩＤ発行手段５１は、委任者端末１０の委任者一時ＩＤ発行要求手段１１からの委任者一時ＩＤ発行要求を受信し、代理人関係番号と共に委任者一時ＩＤを発行し（ステップＳ１０２）、一時ＩＤ管理ＤＢ６０に保存する。そして、仲介サーバ５０の委任者一時ＩＤ送信手段５２は、委任者一時ＩＤ発行手段５１が発行した委任者一時ＩＤを、委任者端末１０の委任者一時ＩＤ受信手段１２に送信する（ステップＳ１０３）。
【００４７】
委任者端末１０の委任者一時ＩＤ受信手段１２は、仲介サーバ５０から送信された、委任者一時ＩＤを受信する（ステップＳ１０４）。
【００４８】
委任者は、あらかじめ仲介サーバ５０から、候補となる代理人に関する開示情報を取得し、その情報に基づいて仮の代理人の選定を行う。そして、委任者は、仲介サーバ５０から受信した委任者一時ＩＤを委任者一時ＩＤ送信手段１３により、仮に選定した代理人の代理人端末３０宛てに送信する（ステップＳ１０５）。
【００４９】
代理人端末３０の委任者一時ＩＤ受信手段３１は、委任者端末１０から送信された、委任者一時ＩＤを受信する（ステップＳ１０６）。そして、委任者一時ＩＤを受信した代理人は、委任者情報を検索するために委任者一時ＩＤ検索要求手段３２から仲介サーバ５０に対して検索要求を送信する（ステップＳ１０７）。
【００５０】
仲介サーバ５０の委任者一時ＩＤ検索手段５３は、代理人端末３０の委任者一時ＩＤ検索要求手段３２からの委任者一時ＩＤ検索要求を受信する。そして、委任者一時ＩＤ検索手段５３は、一時ＩＤ管理ＤＢ６０に保存されている委任者一時ＩＤ情報を検索する（ステップＳ１０８）。そして、委任者一時ＩＤ検索手段５３は、委任者一時ＩＤが一時ＩＤ管理ＤＢ６０に保存されている正規の一時ＩＤであるか否かを判定する。
【００５１】
仲介サーバ５０の委任者一時ＩＤ情報送信手段５４は、委任者一時ＩＤ検索手段５３が検索した委任者一時ＩＤ情報、及び判定結果を、代理人端末３０の委任者一時ＩＤ情報表示手段３３に送信する（ステップＳ１０９）。
【００５２】
代理人端末３０の委任者一時ＩＤ情報表示手段３３は、仲介サーバ５０からの委任者一時ＩＤに紐付けられた限定された委任者情報を受信して表示を行う（ステップＳ１１０）。この時、代理人は、取得した委任者一時ＩＤを用いて、例えば委任者の業務のみを確認することができる。
【００５３】
代理人端末３０の代理人一時ＩＤ発行要求手段３４は、代理人端末３０における代理人の操作に基づいて、通信手段１８及びネットワーク７０を経由して、仲介サーバ５０に対して限定的な本人情報と紐付けされた時限ＩＤである代理人一時ＩＤの発行を要求する（ステップＳ１１１）。
【００５４】
仲介サーバ５０の代理人一時ＩＤ発行手段５５は、代理人端末３０の代理人一時ＩＤ発行要求手段３４からの代理人一時ＩＤ発行要求を受信する。そして、代理人一時ＩＤ発行手段５５は、代理人一時ＩＤを発行し（ステップＳ１１２）、利用者管理ＤＢ６１内に記憶されている代理人のＩＤ情報と共に、一時ＩＤ管理ＤＢ６０に保存する。
【００５５】
仲介サーバ５０の代理人一時ＩＤ送信手段５６は、代理人一時ＩＤ発行手段５５が発行した代理人一時ＩＤを代理人端末３０の代理人一時ＩＤ受信手段３５に送信する（ステップＳ１１３）。
【００５６】
代理人端末３０の代理人一時ＩＤ受信手段３５は、仲介サーバ５０が発行した代理人一時ＩＤを、ネットワーク７０及び通信手段１８を経由して受信する（ステップＳ１１４）。
【００５７】
代理人端末３０の代理人一時ＩＤ送信手段３６は、代理人一時ＩＤ受信手段３５により受信した代理人一時ＩＤを、代理人端末３０における代理人の操作に基づいて、当該代理人に対して委任を希望する委任者の委任者端末１０宛てに送信する（ステップＳ１１５）。
【００５８】
委任者端末１０の代理人一時ＩＤ受信手段１４は、代理人端末３０から送信された、代理人一時ＩＤを受信する（ステップＳ１１６）。
【００５９】
委任者端末１０の代理人一時ＩＤ検索要求手段１５は、代理人端末３０から受信した代理人一時ＩＤを用いて代理人情報を検索するために、仲介サーバ５０に対して検索要求を送信する（ステップＳ１１７）。
【００６０】
仲介サーバ５０の代理人一時ＩＤ検索手段５７は、委任者端末１０の代理人一時ＩＤ検索要求手段１５からの代理人一時ＩＤ検索要求を受信し、一時ＩＤ管理ＤＢ６０に保存されている代理人一時ＩＤ情報を検索する（ステップＳ１１８）。そして、代理人一時ＩＤ検索手段５７は、代理人一時ＩＤが一時ＩＤ管理ＤＢ６０に保存されている正規の一時ＩＤであるか否かを判定する。
【００６１】
仲介サーバ５０の代理人一時ＩＤ情報送信手段５８は、代理人一時ＩＤ検索手段５７が検索した代理人一時ＩＤ情報、及び判定結果を、委任者端末１０の代理人一時ＩＤ情報表示手段１６に送信する（ステップＳ１１９）。
【００６２】
委任者端末１０の代理人一時ＩＤ情報表示手段１６は、仲介サーバ５０からの代理人一時ＩＤに紐付けられた代理人情報を受信して表示を行う（ステップＳ１２０）。この時、委任者が取得した代理人一時ＩＤを用いて、代理人の資格に加えて匿名性を有する別の代理人情報を閲覧可能に構成してもよい。
【００６３】
委任者端末１０の代理人承認要求手段１７は、委任者が表示された代理人情報を確認し、代理人として適していると判断した場合に、委任者の操作に基づいて仲介サーバ５０に対して代理人の承認を要求する（ステップＳ１２１）。
【００６４】
仲介サーバ５０の代理人承認手段５９は、委任者端末１０の代理人承認要求手段１７からの代理人承認要求を受信する。そして代理人承認手段５９は、一時ＩＤ管理ＤＢ６０に保存されている代理人関係番号を利用者管理ＤＢ６１に保存し、委任者であることを示す委任者ＦＬＧを利用者管理ＤＢ６１に保存し、該当する一時ＩＤ管理ＤＢ６０内のレコードを消去する（ステップＳ１２２）。これにより、代理人承認が完了する。
【００６５】
このように、本実施形態によれば、委任者一時ＩＤ及び代理人一時ＩＤを、委任者と代理人との代理人契約締結時に消去される期限付きＩＤとして構成したので、第三者によるなりすましを防止することができる。
【００６６】
また本実施形態によれば、一時ＩＤを受け取った利用者が、当該一時ＩＤが仲介サーバ５０で管理されている正規の一時ＩＤであるか否かを確認できるように構成した。これにより、一時ＩＤの詐称による不正な代理人契約の締結を防止することができる。
【００６７】
また、本実施形態によれば、委任者一時ＩＤ及び代理人一時ＩＤは、代理人契約の相手方についての匿名性を有する情報とのみ紐付けられて利用者に表示されるように構成した。これにより、不必要な情報の流出を防止しつつ、代理人契約を締結させることができる。
【００６８】
また本実施形態によれば、代理人契約締結後に代理人契約の相手方についての匿名性を有さない情報が利用者に表示されるように構成した。このように代理人関係構築に関わる情報を段階的にお互いに交換するため、不必要な情報の流出を防ぎつつ、円滑な代理人契約を締結させることができる。
【００６９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００７０】
１０  委任者端末
１１  委任者一時ＩＤ発行要求手段
１２  委任者一時ＩＤ受信手段
１３  委任者一時ＩＤ送信手段
１４  代理人一時ＩＤ受信手段
１５  代理人一時ＩＤ検索要求手段
１６  代理人一時ＩＤ情報表示手段
１７  代理人承認要求手段
１８  通信手段
３０  代理人端末
３１  委任者一時ＩＤ受信手段
３２  委任者一時ＩＤ検索要求手段
３３  委任者一時ＩＤ情報表示手段
３４  代理人一時ＩＤ発行要求手段
３５  代理人一時ＩＤ受信手段
３６  代理人一時ＩＤ送信手段
３７  通信手段
５０  仲介サーバ
５１  委任者一時ＩＤ発行手段
５２  委任者一時ＩＤ送信手段
５３  委任者一時ＩＤ検索手段
５４  委任者一時ＩＤ情報送信手段
５５  代理人一時ＩＤ発行手段
５６  代理人一時ＩＤ送信手段
５７  代理人一時ＩＤ検索手段
５８  代理人一時ＩＤ情報送信手段
５９  代理人承認手段
６０  一時ＩＤ管理ＤＢ
６１  利用者管理ＤＢ
６２  通信手段
７０  ネットワーク
【図１】
0005917643.tif 000002
【図２】
0005917643.tif 000003
【図３】
0005917643.tif 000004
【図４】
0005917643.tif 000005
【図５】
0005917643.tif 000006
【図６】
0005917643.tif 000007
【図７】
0005917643.tif 000008